(57)【要約】【課題】簡易な構成で、縦置きに積層される板状部材の搬送効率を向上させつつ、板状部材の搬出作業の効率も向上させることのできるコンテナを得る。【解決手段】底板（１）と、支え部（２）とを有し、複数の板状部材を、支え部に対して順次重ねた状態で底板に載せるコンテナ本体（３）と、コンテナ本体を支持する脚部（４）と、脚部から下方へ突出することにより、コンテナ本体を傾斜させる傾斜用部材（５）と、コンテナ本体が傾斜しているときにコンテナ本体が倒れることを防止する補助脚部（６）と、を備えた。【選択図】図１
2016047726.tif 000002
【特許請求の範囲】
【請求項１】
底板と、前記底板に立設された支え部とを有し、複数の板状部材を、前記支え部に対して順次重ねた状態で前記底板に載せるコンテナ本体と、
前記底板に設けられ、コンテナ設置面上に置かれた状態で前記コンテナ本体を支持する脚部と、
前記脚部から下方へ突出可能で、前記コンテナ設置面に支えられながら前記脚部から下方へ突出することにより、前記複数の板状部材の荷重が前記支え部にかかる方向へ前記コンテナ本体を前記コンテナ設置面に対して傾斜させる傾斜用部材と、
前記傾斜用部材から見て前記支え部よりも離れた突出位置へ前記脚部から突出した状態で配置可能で、前記脚部から突出した状態で前記コンテナ設置面に支えられることにより、前記コンテナ本体が前記コンテナ設置面に対して傾斜しているときに前記コンテナ本体が倒れることを防止する補助脚部と、
を備えたコンテナ。
【請求項２】
前記脚部の内部には、前記補助脚部を収納する収納スペースが設けられている
請求項１に記載のコンテナ。
【請求項３】
前記補助脚部は、前記突出位置と、前記脚部の前記収納スペースに収納される収納位置との間で前記脚部に対して変位可能になっている
請求項２に記載のコンテナ。
【請求項４】
前記補助脚部を前記突出位置に固定するロック機構部をさらに備えた
請求項１から３のいずれか１項に記載のコンテナ。
【発明の詳細な説明】
【技術分野】
【０００１】
本発明は、複数の板状部材を搬送するのに使用されるコンテナに関し、特に、作業効率の改善を実現する構成を備えるものである。
【背景技術】
【０００２】
複数のガラス板を搬送するために、コンテナが使用される場合がある。この場合、複数のガラス板のそれぞれの一端を載置することで、複数のガラス板が縦置きに積層されたコンテナを目的地まで搬送した後、コンテナからガラス板を搬出する。
【０００３】
ここで、コンテナからガラス板を搬出する前に、コンテナを設置する面（以下では、コンテナ設置面と称す）に対してコンテナを傾斜させ、傾斜させたコンテナを壁等の丈夫なものに立て掛ける。また、コンテナ内のガラス板の重量によっては、重機を用いて、コンテナを傾斜させる必要がある。このような作業を行うことで、コンテナからガラス板を搬出する際に、縦置きに積層されたガラス板が倒れないようにしている。
【０００４】
また、縦置きに積層されたガラス板を搬送する専用の搬送用具として、積層されたガラス板をあらかじめ傾けた状態で搬送するものがある（例えば、特許文献１参照）。
【先行技術文献】
【特許文献】
【０００５】
【特許文献１】特開２００６−３１５７５９号公報
【発明の概要】
【発明が解決しようとする課題】
【０００６】
しかしながら、従来技術には以下のような課題がある。
特許文献１に記載の従来技術においては、ガラス板を搬出する前に搬送用具を傾斜させる必要がないので、ガラス板の搬出作業の効率を向上させることが可能となる。しかしながら、ガラス板をあらかじめ傾けた状態で搬送するので、搬送用具の構成が複雑である。
【０００７】
また、ガラス板の搬送効率の向上を図るべく、大量のガラス板を１つの搬送用具で搬送するには、搬送用具のサイズを大きくしなければならない。この結果、搬送用具の専有面積が大きくなり、搬送用具を設置するスペースが広くなってしまうという問題がある。したがって、ガラス板の搬送効率を向上させるためには、特許文献１に記載の搬送用具ではなく、コンテナを用いることが望ましい。
【０００８】
本発明は、前記のような課題を解決するためになされたものであり、簡易な構成で、縦置きに積層される板状部材の搬送効率を向上させつつ、板状部材の搬出作業の効率も向上させることのできるコンテナを得ることを目的とする。
【課題を解決するための手段】
【０００９】
本発明におけるコンテナは、底板と、底板に立設された支え部とを有し、複数の板状部材を、支え部に対して順次重ねた状態で底板に載せるコンテナ本体と、底板に設けられ、コンテナ設置面上に置かれた状態でコンテナ本体を支持する脚部と、脚部から下方へ突出可能で、コンテナ設置面に支えられながら脚部から下方へ突出することにより、複数の板状部材の荷重が支え部にかかる方向へコンテナ本体をコンテナ設置面に対して傾斜させる傾斜用部材と、傾斜用部材から見て支え部よりも離れた突出位置へ脚部から突出した状態で配置可能で、脚部から突出した状態でコンテナ設置面に支えられることにより、コンテナ本体がコンテナ設置面に対して傾斜しているときにコンテナ本体が倒れることを防止する補助脚部と、を備えたものである。
【発明の効果】
【００１０】
本発明によれば、底板と支え部とを有し、複数の板状部材を、支え部に対して順次重ねた状態で底板に載せるコンテナ本体と、コンテナ本体を支持する脚部と、脚部から下方へ突出することにより、コンテナ本体を傾斜させる傾斜用部材と、コンテナ本体が傾斜しているときにコンテナ本体が倒れることを防止する補助脚部と、を備えて、コンテナが構成されている。これにより、簡易な構成で、縦置きに積層される板状部材の搬送効率を向上させつつ、板状部材の搬出作業の効率も向上させることのできるコンテナを得ることができる。
【図面の簡単な説明】
【００１１】
【図１】本発明の実施の形態１におけるコンテナの構成を示す分解斜視図である。
【図２】図１を下から見た平面図である。
【図３】図１の側面図である。
【図４】図３の状態から、傾斜用部材によってコンテナ本体を傾斜させたときのコンテナを示す側面図である。
【図５】本発明の実施の形態１において、補助脚部が脚部の収納スペースに収納されているときのコンテナを示す斜視図である。
【図６】図５の状態から、脚部の収納スペースから取り出された補助脚部をロック機構部で固定するときのコンテナを示す斜視図である。
【図７】図６の状態から、傾斜用部材によってコンテナ本体を傾斜させたときのコンテナを示す斜視図である。
【図８】図７の状態から、カバーを取り外した後、ガラス板を搬出するときのコンテナを示す斜視図である。
【発明を実施するための形態】
【００１２】
以下、本発明によるコンテナを、好適な実施の形態にしたがって図面を用いて説明する。なお、図面の説明においては、同一要素には同一符号を付し、重複する説明を省略する。また、実施の形態１においては、コンテナで搬送される板状部材がガラス板である場合を例示する。
【００１３】
実施の形態１．
図１は、本発明の実施の形態１におけるコンテナの構成を示す分解斜視図である。図２は、図１を下から見た平面図である。図３は、図１の側面図である。さらに、図４は、図３の状態から、傾斜用部材５によってコンテナ本体３を傾斜させたときのコンテナを示す側面図である。なお、図２〜図４においては、カバー８の図示を省略している。
【００１４】
図１〜図４において、本実施の形態１におけるコンテナは、底板１および支え部２を有するコンテナ本体３と、脚部４と、傾斜用部材５と、補助脚部６と、スライド機構部（図示せず）と、ロック機構部７と、カバー８とを備える。
【００１５】
コンテナ本体３は、底板１と、底板１に立設された支え部２とを有することで、複数のガラス板を縦置きに積層できる構成となっている。すなわち、コンテナ本体３は、複数のガラス板を、支え部２に対して順次重ねた状態で底板１に載せる。なお、図１〜図４では、支え部２が背板である場合を例示しているが、これに限定されず、複数のガラス板を支えることが可能であれば、支え部２はどのような形状のものであってもよい。例えば、支え部２として、複数のパイプを底板１に直線状に立設することで、複数のガラス板を支えることが可能である。
【００１６】
脚部４は、底板１の下部に設けられ、コンテナ設置面上に置かれた状態でコンテナ本体３を支持する。なお、図１〜図４では、底板１の下部の両端に設けられた脚部４でコンテナ本体３を支持しているので、底板１とコンテナ設置面との間には、空間が存在することとなる。このような空間は、フォークリフト等を活用する際に利用することができる。また、図１〜図４では、底板１の下部の両端のそれぞれに脚部４を設けて、２個の脚部４でコンテナ本体３を支持する場合を例示しているが、底板１の下部への脚部４の、取り付け位置および取り付け個数は、適宜設計することができる。
【００１７】
傾斜用部材５は、脚部４から下方へ突出可能で、コンテナ設置面に支えられながら、脚部４から突出することにより、複数のガラス板の荷重が支え部２にかかる方向へ、コンテナ本体３をコンテナ設置面に対して傾斜させる。また、脚部４から下方への傾斜用部材５の突出量を調整することで、コンテナ設置面に対するコンテナ本体３の傾斜の度合いが調整可能となる。
【００１８】
図１〜図４から分かるように、傾斜用部材５が取り付けられる脚部４の部分は、脚部４の他の部分よりも薄い厚みとなっている。そして、傾斜用部材５の突出量を調整することで、脚部４の他の部分の厚みよりも傾斜用部材５を突出させることが可能となる。したがって、図３の状態から、傾斜用部材５を脚部４から突出させることにより、図４に示すように、複数のガラス板の荷重が支え部２にかかる方向へ、コンテナ本体３をコンテナ設置面に対して傾斜させることが可能となる。
【００１９】
なお、図１〜図４では、それぞれの脚部４の一端に傾斜用部材５を１個ずつ設ける場合を例示しているが、脚部４への傾斜用部材５の、取り付け位置および取り付け個数は、適宜設計することができる。
【００２０】
また、傾斜用部材５は、例えば、ボルトで構成される。この場合、脚部４の下部には、ボルトが螺合されるねじ穴（図示せず）が設けられている。ボルトは、脚部４のねじ穴に螺合されることで、脚部４の下部に設けられている。脚部４からのボルトの突出量は、スパナ等といった手回り工具を用いてボルトを回すことで、容易に調整可能となっている。
【００２１】
補助脚部６は、傾斜用部材５から見て支え部２よりも離れた突出位置へ、脚部４から突出した状態で配置可能である。また、図３に示すように、補助脚部６は、突出位置へ配置されれば、脚部４から突出した状態となる。続いて、傾斜用部材５を下方に突出させることで、図４に示すように、補助脚部６は、脚部４から突出した状態でコンテナ設置面に支えられることにより、コンテナ本体３がコンテナ設置面に対して傾斜しているときにコンテナ本体３が倒れることを防止する。
【００２２】
補助脚部６は、ガラス板の搬出作業を行わない場合には、突出位置に配置されていないので、脚部４から突出した状態とはならない。この場合、補助脚部６は、脚部４の内部に設けられた収納スペースに収納されている。
【００２３】
また、コンテナには、突出位置から収納スペースへ補助脚部６を収納する方向と、収納スペースから突出位置へ補助脚部６を取り出す方向とへ移動可能にするスライド機構部（図示せず）が設けられている。スライド機構部が設けられることで、ガラス板の搬出作業を行う場合には、収納スペースから補助脚部６の取り出しが可能となる一方、ガラス板の搬出作業を行わない場合には、収納スペースへの補助脚部６の収納が可能となる。このように、補助脚部６は、突出位置と、脚部４の収納スペースに収納される収納位置との間で、脚部４に対して、変位可能となっている。
【００２４】
なお、スライド機構部は、例えば、レール溝と、レール溝に移動可能に嵌合するスライダとで構成される。この場合、収納スペースに収納されている補助脚部６を引き出せば、補助脚部６は、スライド機構に案内されることで、収納スペースから取り出される。一方、収納スペースから取り出されている補助脚部６を収納スペース側に押し戻せば、補助脚部６は、スライド機構に案内されることで、収納スペースへ収納される。
【００２５】
ロック機構部７は、補助脚部６を突出位置に固定することで、脚部４から突出した状態の補助脚部６を動かないようにする。このように、ロック機構部７によって補助脚部６を突出位置に固定することで、補助脚部６が不意に動くことがない。したがって、ロック機構部７を設ける場合においては、ロック機構部７を設けていない場合と比較して、コンテナ本体３がコンテナ設置面に対して傾斜しているときに、より安定したコンテナ本体の傾き状態を維持することが可能となる。
【００２６】
なお、ロック機構部７は、例えば、ピンで構成される。この場合、脚部４および補助脚部６のそれぞれに穴を設け、それぞれの穴が重なる位置で１本のピンを挿入することで、ピンを脚部４と補助脚部６とに貫通させている。ピンをこのように貫通させることで、補助脚部６が突出位置で固定されるので、脚部４から突出した状態の補助脚部６が動かなくなる。一方、ピンを脚部４および補助脚部６のそれぞれの穴から引き抜くことで、補助脚部６が突出位置で固定されなくなる。また、脚部４および補助脚部６のそれぞれの穴の、位置および個数は、適宜設計することができる。
【００２７】
カバー８は、着脱可能であり、ガラス板を保護するためのものである。カバー８は、ガラス板の搬送作業を行う際にはガラス板を覆うように取り付けられる一方、ガラス板の搬出作業を行う際には取り外される。なお、ガラス板を保護するためにカバー８を設ける場合を例示しているが、必ずしもカバー８を設ける必要はない。例えば、ベルトなどを用いて、複数のガラスと支え部２を束ねるように固定することで、カバー８を不要とすることも可能である。
【００２８】
次に、コンテナから複数枚のガラス板を搬出する手順について、図５〜図８を参照しながら説明する。図５は、本発明の実施の形態１において、補助脚部６が脚部４の収納スペースに収納されているときのコンテナを示す斜視図である。図６は、図５の状態から、脚部４の収納スペースから取り出された補助脚部６をロック機構部７で固定するときのコンテナを示す斜視図である。図７は、図６の状態から、傾斜用部材５によってコンテナ本体３を傾斜させたときのコンテナを示す斜視図である。さらに、図８は、図７の状態から、カバー８を取り外した後、ガラス板を搬出するときのコンテナを示す斜視図である。
【００２９】
図５に示すように、ガラス板を搬出する前では、補助脚部６は、脚部４の収納スペースに収納されているので、脚部４から突出した状態ではなく、さらに、傾斜用部材５は、脚部４から下方へ突出していない状態である。また、複数枚のガラス板は、前述したように、支え部２に対して順次重ねた状態で底板１に載せられている。
【００３０】
次に、図６に示すように、収納スペースに収納されている補助脚部６を収納スペースから取り出すことで、突出位置へ配置する。このように、補助脚部６を突出位置に配置することで、補助脚部６は、脚部４から突出した状態となる。
【００３１】
続いて、ピンを挿入することで、補助脚部６を突出位置に固定する。このように、ロック機構部７によって、補助脚部６を突出位置に固定することで、脚部４から突出した状態の補助脚部６が動かないようになる。
【００３２】
次に、図７に示すように、傾斜用部材５を脚部４から下方へ突出させることで、先の図４の側面図として示した状態となり、複数のガラス板の荷重が支え部２にかかる方向へ、コンテナ本体３をコンテナ設置面に対して傾斜させる。このように、コンテナ本体３を傾斜させることで、支え部２に対して順次重ねた状態で底板１に載せられた複数のガラス板も傾斜することとなる。
【００３３】
次に、図８に示すように、カバー８を取り外した後、ガラス板を搬出する。このように、ガラス板を搬出するにあたって、従来においては、複数のガラス板が縦置きに積層されたコンテナを傾ける際には、壁等の丈夫なものにコンテナを立て掛ける必要があった。これに対して、本願発明においては、上記の簡易な手順を実行することで、コンテナ本体３を容易に傾け、安定した傾き状態を維持することが可能となる。
【００３４】
なお、本実施の形態１では、補助脚部６は、突出位置と、脚部４の収納スペースに収納される収納位置との間で脚部４に対して変位可能になっている場合を例示したが、変位可能とせずに、補助脚部６を脚部４に着脱可能な構成としてもよい。この場合、ガラス板を搬出するときには、補助脚部６を脚部４に取り付けることができる一方、ガラス板を搬送するときには、補助脚部６を脚部４から取り外すことができる。また、補助脚部６を脚部４から取り外したときには、手作業で、補助脚部６を脚部４の収納スペースに収納することができる。
【００３５】
また、補助脚部６を脚部４に着脱可能な構成とした場合、脚部４の収納スペースを設けなくてもよい。この場合、補助脚部６を脚部４から取り外したときには、脚部４の収納スペースとは異なる別のスペースに保管しておけばよい。
【００３６】
また、本実施の形態１では、本願発明のコンテナをガラス板に適用した場合を例示したが、これに限定されず、支え部２に対して順次重ねた状態で底板１に載せることが可能であれば、ガラス板以外の板状部材に対しても適用可能である。
【００３７】
以上、本実施の形態１によれば、底板と、底板に立設された支え部とを有し、複数の板状部材を、支え部に対して順次重ねた状態で底板に載せるコンテナ本体と、底板に設けられ、コンテナ設置面上に置かれた状態でコンテナ本体を支持する脚部と、脚部から下方へ突出可能で、コンテナ設置面に支えられながら脚部から下方へ突出することにより、複数の板状部材の荷重が支え部にかかる方向へコンテナ本体をコンテナ設置面に対して傾斜させる傾斜用部材と、傾斜用部材から見て支え部よりも離れた突出位置へ脚部から突出した状態で配置可能で、脚部から突出した状態でコンテナ設置面に支えられることにより、コンテナ本体がコンテナ設置面に対して傾斜しているときにコンテナ本体が倒れることを防止する補助脚部と、を備えて、コンテナが構成されている。
【００３８】
これにより、簡易な構成で、縦置きに積層される板状部材の搬送効率を向上させつつ、板状部材の搬出作業の効率も向上させることができる。
【００３９】
また、コンテナ本体を傾ける際に盤木を噛ませる必要がなく、傾斜用部材を突出させることで、コンテナ本体を容易に傾けることができるので、作業性が向上する。さらに、コンテナ本体を傾けても、補助脚部によってコンテナ本体が支えられるので、壁等の丈夫なものにコンテナ本体を立て掛ける必要がなくなり、作業性が向上する。また、板状部材を搬送するときには、補助脚部を突出位置に配置しないようにすることが可能であるので、コンテナを設置するスペースを小さくすることができ、搬送効率がより向上する。
【００４０】
また、脚部の内部には、補助脚部を収納する収納スペースが設けられていることにより、板状部材を搬送するときには、脚部の収納スペースに補助脚部を収納しておくことができるので、利便性が向上する。
【００４１】
また、補助脚部は、突出位置と、脚部の収納スペースに収納される収納位置との間で脚部に対して変位可能になっていることにより、補助脚部を脚部の収納スペースに収納することが容易となる。
【００４２】
また、補助脚部を突出位置に固定するロック機構部をさらに備えたことにより、コンテナ本体がコンテナ設置面に対して傾斜しているときに、より安定したコンテナ本体の傾き状態を維持することが可能となる。
【符号の説明】
【００４３】
１  底板、２  支え部、３  コンテナ本体、４  脚部、５  傾斜用部材、６  補助脚部、７  ロック機構部、８  カバー。
【図１】
2016047726.tif 000003
【図２】
2016047726.tif 000004
【図３】
2016047726.tif 000005
【図４】
2016047726.tif 000006
【図５】
2016047726.tif 000007
【図６】
2016047726.tif 000008
【図７】
2016047726.tif 000009
【図８】
2016047726.tif 000010